(57)【要約】  メモリ４２にマナーモードへの移行処理を実行するための移行条件（スケジュール、位置、移動状況）を記憶する。ＣＰＵ３３は、メモリ４２に記憶されている移行条件に基づきマナーモードへ移行するか否かの指示をユーザに対して要求し、当該要求に対応してマナーモードへ移行するか否かの指示をユーザから受け付け、マナーモードへ移行する指示をユーザから受け付けた場合に、携帯電話機１のモードをマナーモードへ移行するための制御を行う。
2009041060.tif 000002
【特許請求の範囲】
【請求項１】
マナーモードへの移行処理を実行するための移行条件を記憶する記憶部と、
前記記憶部に記憶されている移行条件に基づきマナーモードへ移行するか否かの指示を要求する要求部と、
前記要求部の要求に対応してマナーモードへ移行するか否かの指示をユーザから受け付ける受付部と、
前記受付部がマナーモードへ移行する指示を受け付けた場合に、マナーモードへ移行するための制御を行う制御部と、
を備える携帯情報機器。
【請求項２】
前記移行条件は現在の時刻が設定時刻に一致することであり、
時刻の設定を行う時刻設定部と、
時刻を出力する時計部と、
を更に備え、
前記要求部は、前記時計部が出力する時刻が前記時刻設定部による設定時刻に一致すると前記要求を行う
請求項１記載の携帯情報機器。
【請求項３】
前記移行条件は、自機器の位置が設定位置に対して所定の距離内にあることであり、
位置の設定を行う位置設定部と、
自機器の位置を取得する位置取得部と、
を更に備え、
前記要求部は、前記位置取得部により取得される位置が前記位置設定部による設定位置に対して所定の距離内にある場合に前記要求を行う
請求項１記載の携帯情報機器。
【請求項４】
前記移行条件は、自機器の移動速度が所定の移動速度以上であることであり、
自機器の移動速度を検出する速度検出部
を更に備え、
前記要求部は、前記移動速度検出部により検出される移動速度が前記所定の移動速度以上である場合に前記要求を行う
請求項１記載の携帯情報機器。
【請求項５】
前記移行条件は、自機器の移動速度が所定の時間所定の移動速度以上であることであり、
自機器の移動速度を検出する速度検出部と、
時間を計測する時間計測部と、
を更に備え、
前記要求部は、前記速度検出部が前記所定の移動速度以上の移動速度を検出してから前記時間計測部による計測時間が前記所定の時間になるまでの期間、前記速度検出部により検出される移動速度が前記所定の移動速度以上である場合に前記要求を行う
請求項１記載の携帯情報機器。
【請求項６】
前記移行条件は、所定のタイミングから所定の時間経過することであり、
時間を計測する時間計測部
を更に備え、
前記要求部は、前記時間計測部による前記所定のタイミングからの計測時間が前記所定の時間経過した場合に前記要求を行う
請求項１記載の携帯情報機器。
【請求項７】
前記マナーモードは複数のモードを有し、
前記要求部は、更に前記複数のモードの何れのモードへ移行するかの指示を要求し、
前記受付部は、更に前記要求部によるモードの要求に対応して移行するモードをユーザから受け付け、
前記制御部は、前記受付部が受け付けたモードへ移行するための制御を行う
請求項１記載の携帯情報機器。
【請求項８】
前記マナーモードは機能として留守番電話機能を有し、
前記要求部は、更に前記留守番電話機能の応答メッセージを変更するかの指示を要求し、
前記受付部は、更に前記要求部による応答メッセージの変更の要求に対応して応答メッセージの変更の指示をユーザから受け付け、
前記制御部は、更に前記受付部が応答メッセージの変更の指示を受け付けた場合に、前記応答メッセージを変更する
請求項１記載の携帯情報機器。
【請求項９】
前記マナーモードは複数有り、
前記移行条件は複数有り、
前記記憶部は、更に、前記移行条件に対して一つの前記マナーモードを対応付けて記憶しており、
前記制御部は、前記要求部の要求の契機となった移行条件に対応して前記記憶部に記憶されているマナーモードへの移行制御を行う
請求項１記載の携帯情報機器。
【請求項１０】
マナーモードへの移行処理を実行するための移行条件を記憶する記憶部を有する携帯情報機器において実行されるマナーモード移行プログラムであって、
前記記憶部に記憶されている移行条件に基づきマナーモードへ移行するか否かの指示を要求する要求ステップと、
前記要求ステップにおける要求に対応してマナーモードへ移行するか否かの指示をユーザから受け付ける受付ステップと、
前記受付ステップにおいてマナーモードへ移行する指示を受け付けた場合に、マナーモードに移行するための制御を行う制御ステップと、
を有するマナーモード移行プログラム。
【発明の詳細な説明】
【技術分野】
【０００１】
本発明は、例えばドライブモードやおやすみモード等のマナーモードの機能を有する携帯情報機器に関する。
【背景技術】
【０００２】
従来、例えば携帯情報機器を代表する携帯電話機では、電話の着信時やメールの受信時に着信音を鳴動させることによって電話の着信やメールの受信をユーザに報知することが可能である。しかしながら、例えば映画館や電車の中、会議中では、着信音を鳴動させることは周囲の人に迷惑をかけることになる。また、自動車の運転中に着信音が鳴ると、ドライバーは運転に集中できなくなって事故を起こす可能性がある。これらに対処するために、携帯電話機にはマナーモードの機能が搭載されている。マナーモードでは着信音量やバイブレータの振動レベルの設定など様々な機能に関する設定が予めなされており、ユーザは所定のキーを操作することによってマナーモードに設定することができる。通常、マナーモードの設定はユーザがその都度キー操作を行う必要があったことから、ユーザのキー操作の負担軽減を図るべくユーザのスケジュールに合わせてマナーモードへ自動的に移行する技術が提案されている（例えば、特許文献１参照。）。
【特許文献１】特開２００１−１８９７７４号公報
【発明の開示】
【発明が解決しようとする課題】
【０００３】
しかしながら、上記のようにスケジュールに合わせてマナーモードを自動設定する場合、ユーザが予定を変更しても予定変更前のユーザのスケジュールに合わせて自動的にマナーモードへ移行してしまう。このような場合、ユーザはマナーモードへ移行したことに気がつかずユーザの意図とは関係なくマナーモードに設定されたままになってしまう不都合や、そのことに気がついたとしてもユーザはマナーモードを解除するためのキー操作を行わなければならないという不都合がある。
【課題を解決するための手段】
【０００４】
本発明の携帯情報機器は、マナーモードへの移行処理を実行するための移行条件を記憶する記憶部と、前記記憶部に記憶されている移行条件に基づきマナーモードへ移行するか否かの指示を要求する要求部と、前記要求部の要求に対応してマナーモードへ移行するか否かの指示をユーザから受け付ける受付部と、前記受付部がマナーモードへ移行する指示を受け付けた場合に、マナーモードへ移行するための制御を行う制御部と、を備える。【０００５】
また、本発明のマナーモード移行プログラムは、マナーモードへの移行処理を実行するための移行条件を記憶する記憶部を有する携帯情報機器において実行されるマナーモード移行プログラムであって、前記記憶部に記憶されている移行条件に基づきマナーモードへ移行するか否かの指示を要求する要求ステップと、前記要求ステップにおける要求に対応してマナーモードへ移行するか否かの指示をユーザから受け付ける受付ステップと、前記受付ステップにおいてマナーモードへ移行する指示を受け付けた場合に、マナーモードに移行するための制御を行う制御ステップと、を有する。
【発明の効果】
【０００６】
上記の携帯情報機器及びマナーモード移行プログラムの夫々によれば、マナーモードへ移行する前にマナーモードへの移行の指示をユーザに対して要求し、ユーザからマナーモードへの指示を受け付けた場合に、マナーモードへ移行するための制御が行われる。このため、ユーザが知らないうちにマナーモードへ移行することがない。また、マナーモードへ自動的に移行することがないので、マナーモードへの自動設定によるマナーモードの解除のためのキー操作をユーザに課することがない。
【図面の簡単な説明】
【０００７】
【図１】（ａ）は第１の実施の形態における携帯電話機の正面図であり、（ｂ）は携帯電話機の背面図。
【図２】図１の携帯電話機の下部筐体の正面図。
【図３】図１の携帯電話機の機能ブロック図。
【図４】図３のメモリ内のスケジュール管理テーブルの一例を示す図。
【図５】図３のメモリ内の位置管理テーブルの一例を示す図。
【図６】図３のメモリ内の移動状況管理テーブルの一例を示す図。
【図７】図１の携帯電話機のモード移行処理の手順を示すフローチャート。
【図８】図７の条件設定処理の手順を示すフローチャート。
【図９】図１のメインディスプレイの条件選択画面の一例を示す図。
【図１０】図１のメインディスプレイのスケジュール登録画面の一例を示す図。
【図１１】図１のメインディスプレイの位置登録画面の一例を示す図。
【図１２】図１のメインディスプレイの移動状況登録画面の一例を示す図。
【図１３】図７のマナーモード移行処理の手順を示すフローチャート。
【図１４】図１３のモード移行処理の手順を示すフローチャート。
【図１５】図１のメインディスプレイのマナーモード移行指示画面の一例を示す図。
【図１６】第２の実施の形態のメモリ内の機能管理テーブルの一例を示す図。
【図１７】第２の実施の形態のモード移行処理の手順を示すフローチャート。
【図１８】図１のメインディスプレイのマナーモード変更指示画面の一例を示す図。
【図１９】図１のメインディスプレイのマナーモード種類指示画面の一例を示す図。
【図２０】第３の実施の形態のモード移行処理の手順を示すフローチャート。
【図２１】図１のメインディスプレイの応答メッセージ変更指示画面の一例を示す図。
【図２２】図１のメインディスプレイの応答メッセージ種類指示画面の一例を示す図。
【図２３】図１のメインディスプレイのバイブレータ変更指示画面の一例を示す図。
【符号の説明】
【０００８】
１  携帯電話機
２  上部筐体
３  ヒンジ部
４  下部筐体
５  メインディスプレイ
６  サブディスプレイ
６ａ  タッチセンサ
７  スピーカ
８  操作部
９  マイクロフォン
１０  サイドキー
３１  アンテナ
３２  無線通信回路
３３  ＣＰＵ
３４  バッテリ
３５  電源回路
３６  ＧＰＳアンテナ
３７  ＧＰＳ信号処理回路
３８  時計回路
３９  タイマ回路
４０  加速度センサ
４１  バイブレータ
４２  メモリ
【発明を実施するための最良の形態】
【０００９】
以下、本発明の実施の形態について図面を参照しつつ説明する。なお、後述する第１から第３の各実施の形態では、携帯情報機器を代表する携帯電話機を例に挙げて説明するが、携帯電話機以外の各種携帯情報機器に適用可能であることは言うまでもない。【００１０】
≪第１の実施の形態≫
以下、本発明の第１の実施の形態に係る携帯電話機について図面を参照しつつ説明する。【００１１】
＜携帯電話機の外観＞
本実施の形態に係る携帯電話機１の外観について図１を参照しつつ説明する。図１は本実施の形態に係る携帯電話機１の外観の一例を示す図であり、（ａ）は携帯電話機のオープンスタイルの正面図、（ｂ）は携帯電話機のオープンスタイルの背面図である。【００１２】
携帯電話機１は、上部筐体２と下部筐体４とがヒンジ部３で連結されて構成される。上部筐体２は、メインディスプレイ５、サブディスプレイ６及びスピーカ７を備え、サブディスプレイ６の表面を覆うようにタッチセンサ（図３に示すタッチセンサ６ａ）が設けられている。また、下部筐体４は、複数のキーが設けられ、サイドキー１０を含む操作部８及びマイクロフォン９を備える。【００１３】
次に、図１の下部筐体４の操作部８の詳細について図２を参照しつつ説明する。図２は図１の携帯電話機１の下部筐体４の正面図である。【００１４】
操作部８には、下部筐体４の側面に設けられたサイドキー１０がある。また、操作部８には、ソフトキー１１ａ，１１ｂと、メール機能の起動を指示するためのＭＡＩＬキー１２と、Ｗｅｂ機能の起動を指示するためのＷＥＢキー１３と、上下左右の方向が割り当てられておりカーソルの移動や表示のスクロールを指示するための十字キー１４とが設けられている。また、操作部８には、ダイヤル（発呼）又は着信に対して応答（オフフック）するための通話キー１５と、文字入力モードにおいて入力した文字の消去または１つ前の画面への移行を指示するためのクリアキー１６と、終話及び電源のＯＮ／ＯＦＦを指示するための電源キー１７とが設けられている。さらに、操作部８には、０〜９の数字や文字（ひらがな、英字）が割り当てられており、これらを入力するためのテンキー１８と、＊キー１９及び＃キー２０とが設けられている。【００１５】
＜携帯電話機の機能＞
図１の携帯電話機１の機能について図３を参照しつつ説明する。図３は図１の携帯電話機１の機能ブロック図である。【００１６】
携帯電話機１は、アンテナ３１と、無線通信回路３２と、ＣＰＵ（Central Processing Unit）３３と、バッテリ３４と、電源回路３５と、ＧＰＳ（Global Positioning System）アンテナ３６と、ＧＰＳ信号処理回路３７と、操作部８と、タッチセンサ６ａと、メインディスプレイ５と、サブディスプレイ６と、時計回路３８と、タイマ回路３９と、加速度センサ４０と、バイブレータ４１と、メモリ４２とを備える。【００１７】
無線通信回路３２は、無線回路５１と、信号処理回路５２と、ＡＤ／ＤＡ変換器５３と、アンプ５４，５５と、スピーカ７と、マイクロフォン９とを備える。【００１８】
携帯電話機１は、基地局に無線接続してアンテナ３１により音声データを受信する。アンテナ３１によって受信された音声データは無線回路５１によって復調され、復調された音声データは信号処理回路５２によって信号処理が施される。信号処理が施された音声データは、ＡＤ／ＤＡ変換器５３によってアナログ信号である音声信号に変換される。音声信号はアンプ５４によって増幅された後、スピーカ７から出力される。【００１９】
また、携帯電話機１のユーザがマイクロフォン９に音声を発した場合、携帯電話機１はマイクロフォン９により音声信号を集音する。マイクロフォン９によって集音された音声信号は、アンプ５５によって増幅された後、ＡＤ／ＤＡ変換器５３によってデジタル信号である音声データに変換される。音声データは信号処理回路５２によって符号化され、符号化された音声データは無線回路５１によって変調される。変調された音声データはアンテナ３１から送信される。【００２０】
ＣＰＵ３３は、携帯電話機１の各種制御及び各種演算を行うものであって、例えばメモリ４２から図７、図８、図１３及び図１４に示す動作フローを実行するためのプログラムを読み出して当該プログラムの実行を行う。【００２１】
電源回路３５はバッテリ３４から携帯電話機１の各部に電源供給を行う。なお、バッテリ３４はリチウムイオン電池など何れの電池であってもよい。ＧＰＳアンテナ３６は、地球の周りを公転する人工衛星から送出される電波を受信し、ＧＰＳ信号処理回路３７は、ＧＰＳアンテナ３６によって受信された電波に基づき、携帯電話機１の現在の位置（緯度、経度）及び移動速度の算出を行い、算出した位置及び移動速度の値をＣＰＵ３３へ出力する。【００２２】
操作部８は、ユーザによって押下されたキーの押下信号をＣＰＵ３３へ出力する。メインディスプレイ５及びサブディスプレイ６は、ＣＰＵ３３の制御に基づき表示データの表示を行うものであり、具体的には、メニュー画面、メール、Ｗｅｂ情報、カメラで撮影した静止／動画像などを表示する。また、メインディスプレイ５は、図８に示す動作フローの実行中に、ユーザがマナーモードへ移行するための条件の種類（スケジュール、位置、移動状況）を選択するための画面（以下、「条件選択画面」と言う。）、マナーモードへ移行するためのスケジュールを登録するための画面（以下、「スケジュール登録画面」と言う。）、マナーモードへ移行するための位置を登録するための画面（以下、「位置登録画面」と言う。）、及びマナーモードへ移行するための移動状況を登録するための画面（以下、「移動状況登録画面」と言う。）を表示する。また、メインディスプレイ５は、図１４に示す動作フローの実行中に、ユーザがマナーモードへ移行するか否かを指示するための画面（以下、「マナーモード移行指示画面」と言う。）を表示する。但し、各画面の詳細については後述する。なお、メインディスプレイ５及びサブディスプレイ６の夫々は、ＬＣＤ（Liquid Crystal Display）や有機ＥＬ（Oganic Electroluminescence Display）や液晶ディスプレイなどを用いて構成される。【００２３】
タッチセンサ６ａは、サブディスプレイ６を覆う領域に設けられており、ユーザの指などの誘電体が接触した位置座標に対応する押圧信号をＣＰＵ３３へ出力する。なお、タッチセンサ６ａは、静電容量方式または感圧方式など、指やペンなどの接触位置が検知可能な方式であればその方式は特に限定されるものではない。【００２４】
時計回路３８は時刻を管理する機能を備え、現在の時刻をＣＰＵ３３へ出力する。タイマ回路３９は所定時間を計測する機能を備える時間計測部である。加速度センサ４０は例えば３軸加速度センサであり、３軸の各加速度の値をＣＰＵ３３へ出力する。バイブレータ４１はＣＰＵ３３の制御により振動する。【００２５】
メモリ４２は、携帯電話機１の各種制御を行うための制御プログラムや各種アプリケーションプログラムの他、図７、図８、図１３及び図１４に示す動作フローを携帯電話機１が実行するためのプログラムを記憶している。また、メモリ４２は、静止データ、動画像データ又は音楽データなどを記憶している。更に、メモリ４２は、マナーモードへ移行するスケジュール等を管理するためのテーブル（以下、「スケジュール管理テーブル」と言う。）、マナーモードへ移行する位置等を管理するためのテーブル（以下、「位置管理テーブル」と言う。）及びマナーモードへ移行する移動状況等を管理するためのテーブル（以下、「移動状況管理テーブル」と言う。）を記憶している。但し、スケジュール管理テーブルには、図４に一例を示すように、項目として、「ＮＯ．」、「開始日時」、「終了日時」、「予定」、「場所」及び「マナーモード移行フラグ」がある。また、位置管理テーブルには、図５に一例を示すように、項目として、「ＮＯ．」、「緯度／経度」、「場所」及び「マナーモード移行フラグ」がある。また、移動状況管理テーブルには、図６に示すように、項目として、「ＮＯ．」、「移動速度」、「継続時間」、「状況」及び「マナーモード移行フラグ」がある。但し、各テーブルの内容及びその使用の仕方については後述する。なお、メモリ４２は、例えば、ＲＯＭ（Read Only Memory）、ＲＡＭ（Random Access Memory）、不揮発性メモリやハードディスクなどを用いて構築される。【００２６】
＜携帯電話機の動作＞
図１の携帯電話機１のモード移行処理について図７を参照しつつ説明する。図７は図１の携帯電話機１のモード移行処理の手順を示すフローチャートである。【００２７】
携帯電話機１において、ＣＰＵ３３は、操作部８からの押下信号に基づいてユーザによってマナーモードへ移行するための条件（スケジュール、位置、移動状況）を設定するための所定の操作が行われたかを判定する（ステップＳ１）。ＣＰＵ３３は、条件を設定するための所定の操作が行われたと判定した場合（Ｓ１：ＹＥＳ）、マナーモードへ移行するための条件を設定するための条件設定処理を実行する（ステップＳ２）。一方、ＣＰＵ３１は、条件を設定するための所定の操作が行われていないと判定した場合（Ｓ１：ＮＯ）、マナーモードへ移行するか否かを判断するためのマナーモード移行処理を実行する（ステップＳ３）。【００２８】
［条件設定処理］
図７の条件設定処理（ステップＳ２）について図８を参照しつつ説明する。図８は図７の条件設定処理（ステップＳ２）の手順を示すフローチャートである。【００２９】
ＣＰＵ３３は、ユーザがマナーモードへ移行する条件（スケジュール、位置、移動状況）を選択するための条件選択画面をメインディスプレイ５に表示する（ステップＳ１１）。図９に示すように、条件選択画面には、メッセージ“設定条件を選択下さい。”が表示される。条件選択画面には、ユーザがマナーモードへの移行に係る条件を選択指示するための“スケジュール”ボタン、“位置”ボタン及び“移動状況”ボタンが設けられているとともに、“ＯＫ”ボタン及び“ＣＡＮＣＥＬ”ボタンが設けられている。【００３０】
ＣＰＵ３３は、操作部８からの押下キーに基づいて、条件選択画面におけるユーザの操作内容を分析する（ステップＳ１２）。【００３１】
条件選択画面においてユーザによって“スケジュール”が選択された後に“ＯＫ”が選択された場合には（Ｓ１２：SCHEDULE）、ＣＰＵ３３は、ユーザがスケジュールを登録するためのスケジュール登録画面をメインディスプレイ５に表示する（ステップＳ１３）。図１０に示すように、スケジュール登録画面には、メッセージ“スケジュールを登録下さい。”が表示される。スケジュール登録画面には、スケジュールの予定に関する開始日時、終了日時、内容及び場所の名称の夫々を入力するための各入力欄が設けられている。また、スケジュール登録画面には、メッセージ“マナーモードへ移行するスケジュールですか？”が表示される。スケジュール登録画面には、マナーモードへ移行するスケジュールであることをユーザが指示するための“はい”に対応するラジオボタン及び移行するスケジュールでないことをユーザが指示するための“いいえ”に対応するラジオボタンが設けられている。さらに、スケジュール登録画面には、当該画面での入力内容の登録の指示をユーザが行うための“登録”ボタンが設けられている。【００３２】
ＣＰＵ３３は、操作部８からの押下信号に基づいて、ユーザが“登録”操作したことを検知すると、スケジュール管理テーブルの項目「開始日時」、「終了日時」、「予定」及び「場所」の夫々に、開始日時の入力欄、終了日時の入力欄、予定の入力欄及び場所の入力欄の入力内容を格納する。また、ＣＰＵ３３は、項目「マナーモード移行フラグ」に、“はい”が選択されていた場合にはＯＮを、“いいえ”が選択されていた場合にはＯＦＦを格納し（ステップＳ１４）、ステップＳ１１の処理に戻る。【００３３】
条件選択画面においてユーザによって“位置”が選択された後に“ＯＫ”が選択された場合には（Ｓ１２：POSITION）、ＣＰＵ３３は、ユーザが位置を登録するための位置登録画面をメインディスプレイ５に表示する（ステップＳ１５）。図１１に示すように、位置登録画面には、メッセージ“位置登録下さい。”が表示されるとともに、地図及び当該地図内にカーソルが表示され、その地図内のカーソル位置の場所の名称を入力するための入力欄が設けられている。また、位置登録画面には、メッセージ“マナーモードへ移行する位置ですか？”が表示される。位置登録画面には、マナーモードへ移行する位置であることをユーザが指示するための“はい”に対応するラジオボタン及び移行する位置でないことをユーザが指示するための“いいえ”に対応するラジオボタンが設けられている。さらに、位置登録画面には、当該画面での入力内容の登録の指示をユーザが行うための“登録”ボタンが設けられている。【００３４】
ＣＰＵ３３は、操作部８からの押下信号に基づいて、ユーザが“登録”操作したことを検知すると、位置管理テーブルの項目「緯度／経度」に地図上のカーソルの位置を基に緯度及び経度を格納し、項目「場所」に場所の入力欄の入力内容を格納する。また、ＣＰＵ３３は、項目「マナーモード移行フラグ」に、“はい”が選択されていた場合にはＯＮを、“いいえ”が選択されていた場合にはＯＦＦを格納し（ステップＳ１６）、ステップＳ１１の処理に戻る。【００３５】
条件選択画面においてユーザによって“移動状況”が選択された後に“ＯＫ”が選択された場合には（Ｓ１２：VELOCITY）、ＣＰＵ３３は、ユーザが移動状況を登録するための移動状況登録画面をメインディスプレイ５に表示する（ステップＳ１７）。図１２に示すように、移動状況登録画面には、メッセージ“移動状況を登録下さい。”が表示される。移動状況登録画面には、移動状況に関する移動速度、継続時間及びその内容の夫々を入力するための各入力欄が設けられている。また、移動状況登録画面には、メッセージ“マナーモードへ移行する移動状況ですか？”が表示される。移動状況登録画面には、マナーモードへ移行する移動状況であることをユーザが指示するための“はい”に対応するラジオボタン及び移行する移動状況でないことをユーザが指示するための“いいえ”に対応するラジオボタンが設けられている。さらに、移動状況登録画面には、当該画面での入力内容の登録の指示をユーザが行うための“登録”ボタンが設けられている。【００３６】
ＣＰＵ３３は、操作部８からの押下信号に基づいて、ユーザが“登録”操作したことを検知すると、移動状況管理テーブルの項目「移動速度」、「継続時間」及び「状況」の夫々に、移動速度の入力欄、継続時間の入力欄及び状況の入力欄の入力内容を格納する。また、ＣＰＵ３３は、項目「マナーモード移行フラグ」に、“はい”が選択されていた場合にはＯＮを、“いいえ”が選択されていた場合にはＯＦＦを格納し（ステップＳ１８）、ステップＳ１１の処理に戻る。【００３７】
条件選択画面においてユーザによって“ＣＡＮＣＥＬ”が選択された場合には（Ｓ１２：CANCEL）、図７のステップＳ１が実行される。【００３８】
［マナーモード移行処理］
図７のマナーモード移行処理（ステップＳ３）について図１３を参照しつつ説明する。図１３は図７のマナーモード移行処理（ステップＳ３）の手順を示すフローチャートである。【００３９】
ＣＰＵ３３は、スケジュール管理テーブルを参照し、スケジュールが格納されているかを判定する（ステップＳ３１）。スケジュールが格納されていれば（Ｓ３１：ＹＥＳ）、ＣＰＵ３３は、スケジュール管理テーブルの格納内容を参照し、時計回路３８から入力される現在時刻に項目「開始日時」の格納内容が一致するレコードを検索する（ステップＳ３２）。ＣＰＵ３３は、ステップＳ３２の検索の結果、一致するレコードがあれば（Ｓ３３：ＹＥＳ）、そのレコードの項目「マナーモード移行フラグ」が“ＯＮ”であるかを判定する（ステップＳ３４）。ＣＰＵ３３は、項目「マナーモード移行フラグ」が“ＯＮ”であれば（Ｓ３４：ＹＥＳ）、マナーモードへの移行指示をユーザに要求し、その要求に対するユーザ指示によりマナーモードへ移行するためのモード移行処理を実行し（ステップＳ４６）、その後、図７のステップＳ１の処理が行われる。【００４０】
スケジュールが格納されていない場合（Ｓ３１：ＮＯ）、ステップＳ３２の検索の結果一致するレコードがなかった場合（Ｓ３３：ＮＯ）、及び項目「マナーモード移行フラグ」が“ＯＦＦ”であった場合（Ｓ３４：ＮＯ）の何れかの場合には、ＣＰＵ３３は、位置管理テーブルを参照し、位置が格納されているかを判定する（ステップＳ３５）。【００４１】
位置が格納されていれば（Ｓ３５：ＹＥＳ）、ＧＰＳ信号処理回路３７はＧＰＳアンテナ３６によって受信された電波に基づいて携帯電話機１の現在位置（緯度、経度）の計測を行っており、ＣＰＵ３３はＧＰＳ信号処理回路３７から携帯電話機１の現在位置（緯度、経度）を取得する（ステップＳ３６）。ＣＰＵ３３は、位置管理テーブルの格納内容を参照し、現在位置が項目「緯度／経度」に格納されている位置（経度、緯度）に対して所定の距離（例えば、１０ｍ）内にあるレコードを検索する（ステップＳ３７）。ＣＰＵ３３は、ステップＳ３７の検索の結果、該当するレコード（現在位置が項目「緯度／経度」の格納位置に対して所定距離内のレコード）があれば（Ｓ３８：ＹＥＳ）、該当するレコードの項目「マナーモード移行フラグ」が“ＯＮ”であるかを判定する（ステップＳ３９）。ＣＰＵ３３は、項目「マナーモード移行フラグ」が“ＯＮ”であれば（Ｓ３９：ＹＥＳ）、モード移行処理を実行し（ステップＳ４６）、その後、図７のステップＳ１の処理が行われる。【００４２】
位置が格納されていない場合（Ｓ３５：ＮＯ）、ステップＳ３７の検索の結果該当するレコードがなかった場合（Ｓ３８：ＮＯ）、及び項目「マナーモード移行フラグ」が“ＯＦＦ”であった場合（Ｓ３９：ＮＯ）の何れかの場合には、ＣＰＵ３３は、移動状況管理テーブルを参照し、移動状況が格納されているかを判定する（ステップＳ４０）。【００４３】
移動状況が格納されていれば（Ｓ４０：ＹＥＳ）、ＧＰＳ信号処理回路３７はＧＰＳアンテナ３６によって受信された電波に基づいて得られた携帯電話機１の位置（経度、緯度）及びその位置に携帯電話機１があった時刻の複数の組を利用して携帯電話機１の移動速度の計測を行っており、ＣＰＵ３３はＧＰＳ信号処理回路３７から現在の移動速度を取得する（ステップＳ４１）。ＣＰＵ３３は、移動状況管理テーブルの格納内容を参照し、現在の移動速度が項目「移動速度」の格納内容を満足するレコードを検索する（ステップＳ４２）。ステップＳ４２の検索の結果、該当するレコード（携帯電話機１の移動速度が項目「移動速度」の格納内容を満足するレコード）があれば（Ｓ４３：ＹＥＳ）、ＣＰＵ３３は、タイマ回路３９をリセットした後スタートさせる。続いて、ＣＰＵ３３は、ＧＰＳ信号処理回路３７から継続して携帯電話機１の現在の移動速度を取得するとともに、タイマ回路３９から計測時間を取得する。そして、ＣＰＵ３３は、携帯電話機１の移動速度と計測時間とを基に、携帯電話機１の移動速度が該当するレコードの項目「継続時間」に格納されている時間分継続して該当するレコードの項目「移動速度」の格納内容を満足しているかを判定する（ステップＳ４４）。携帯電話機１の移動速度が継続時間分継続して満足していれば（Ｓ４４：ＹＥＳ）、該当するレコードの項目「マナーモード移行フラグ」が“ＯＮ”であるかを判定する（ステップＳ４５）。ＣＰＵ３３は、項目「マナーモード移行フラグ」が“ＯＮ”であれば（Ｓ４５：ＹＥＳ）、モード移行処理を実行し（ステップＳ４６）、その後、図７のステップＳ１の処理が行われる。【００４４】
移動状況が格納されていない場合（Ｓ４０：ＮＯ）、ステップＳ４２の検索の結果該当するレコードがなかった場合（Ｓ４３：ＮＯ）、携帯電話機１の移動速度が継続時間分継続して満足していなかった場合（Ｓ４４：ＮＯ）、及び項目「マナーモード移行フラグ」が“ＯＦＦ”であった場合（Ｓ４５：ＮＯ）の何れかの場合には、図７のステップＳ１の処理が行われる。【００４５】
（モード移行処理）
図１３のモード移行処理（ステップＳ４６）について図１４を参照しつつ説明する。図１４は図１３のモード移行処理（ステップＳ４６）の手順を示すフローチャートである。【００４６】
ＣＰＵ３３は、マナーモードへ移行するか否かの指示をユーザに要求するため、マナーモード移行指示画面をメインディスプレイ５に表示する（ステップＳ５１）。図１５に示すように、マナーモード移行指示画面には、メッセージ“マナーモードにしますか？”が表示される。マナーモード移行指示画面には、マナーモードへ移行することをユーザが指示するための“ＹＥＳ”ボタン及びマナーモードへ移行しないことをユーザが指示するための“ＮＯ”ボタンが設けられているとともに、“ＯＫ”ボタンが設けられている。【００４７】
ＣＰＵ３３は、操作部８から入力される押下信号に基づいて、マナーモード移行指示画面におけるユーザの操作内容を分析する（ステップＳ５２）。マナーモード移行指示画面においてユーザによって“ＹＥＳ”が選択された後に“ＯＫ”が選択された場合、つまり、ユーザによってマナーモードへ移行することが指示された場合には（Ｓ５２：ＹＥＳ）、ＣＰＵ３３は、携帯電話機１をマナーモードへ移行させるための制御を行い（ステップＳ５３）、その後、図７のステップＳ１の処理が行われる。【００４８】
一方、マナーモード移行指示画面においてユーザによって“ＮＯ”が選択された後に“ＯＫ”が選択された場合、つまり、ユーザによってマナーモードへ移行しないことが指示された場合には（Ｓ５２：ＮＯ）、ＣＰＵ３３は、携帯電話機１をマナーモードへ移行させるための制御を行うことなく、図７のステップＳ１の処理を実行する。【００４９】
上述した携帯電話機１によれば、ユーザがマナーモードへ移行する条件（スケジュール、位置、移動状況）を予め設定しておいた場合、携帯電話機１は、その条件を満たすときには、ユーザに対してマナーモードに移行するか否かの指示を要求する。このため、例えば１５時００分から会議に出席するためマナーモードに移行すると設定した場合、その会議がキャンセルになりマナーモードへ移行する必要がなくなったときには、１５時００分になった時点でマナーモードへ移行しないことをユーザは選択できる。この結果、例えば、ユーザはわざわざ設定した時刻より前にスケジュールを変更する必要がなく、携帯電話機１がマナーモードに移行した後にマナーモードを解除する必要がない。このように、本実施の形態の携帯電話機１によれば、ユーザの操作負担の軽減が図られる。【００５０】
≪第２の実施の形態≫
以下、本発明の第２の実施の形態に係る携帯電話機について図面を参照しつつ説明する。第１の実施の形態の携帯電話機１はメインディスプレイ５に図１５のマナーモード移行指示画面を表示して単にマナーモードに移行するか否かの指示をユーザに要求する。これに対して、本実施の形態の携帯電話機１は、マナーモードに移行するか否かの指示をユーザに要求するとともに、移行するマナーモードの種類の指示をユーザに要求する。なお、本実施の形態では、主として第１の実施の形態と異なる点について説明する。【００５１】
＜携帯電話機の構成及び機能＞
メインディスプレイ５は、更に、マナーモードの種類を変更するか否かをユーザが指定するためのマナーモード変更指示画面及びユーザが使用するマナーモードの種類を指示するためのマナーモード種類指示画面を表示する。なお、各画面の詳細については後述する。また、本実施の形態のＣＰＵ３３は、図１４のモード移行処理の代わりに、後述する図１７に動作フローを示すモード移行処理を行う。【００５２】
さらに、メモリ４２は、携帯電話機１が図１４に動作フローを示すモード移行処理を実行するためのプログラムの代わりに、携帯電話機１が図１７に動作フローを示すモード移行処理を実行するためのプログラムを記憶している。また、メモリ４２は、マナーモードの機能を管理するための図１６に一例を示す機能管理テーブルを記憶している。図１６の例では、機能管理テーブルには、マナーモードとして、“サイレントバイブ”、“ドライブ”、“オリジナルマナー１”及び“オリジナルマナー２”の４つのマナーモードがあり、各マナーモードの各機能の設定内容が格納されている。図１６の例では、マナーモードの機能として、“着信音量”、“バイブレータ”、“アラーム音量”、“効果音量”、“ボイス通知音量”、“簡易留守メモ”及び“低電圧アラーム”がある。なお、マナーモードの数は４つに限らず、例えば、３つや５つであってもよく、マナーモードの機能として図１６に示す機能以外の機能を付加してもよく、その一部を削除してもよい。【００５３】
＜携帯電話機の動作＞
本実施の形態の携帯電話機１は、図７の動作フローを実行し、図７の条件設定処理（ステップＳ２）では図８に示す動作フローを実行し、図７のマナーモード移行処理（ステップＳ３）では図１３に示す動作フローを実行する。そして、携帯電話機１は、図１３のモード移行処理（ステップＳ４６）では図１７に示す動作フローを実行する。【００５４】
（モード移行処理）
以下、本実施の形態における図１３のモード移行処理（ステップＳ４６）について図１７を参照しつつ説明する。図１７は本実施の形態の携帯電話機１が行うモード移行処理の手順を示すフローチャートである。【００５５】
ＣＰＵ３３は、マナーモード移行指示画面をメインディスプレイ５に表示し（ステップＳ７１）、操作部８から入力される押下信号に基づいて、マナーモード移行指示画面におけるユーザの操作内容を分析する（ステップＳ７２）。マナーモード移行指示画面においてユーザによって“ＮＯ”が選択された後に“ＯＫ”が選択された場合、つまり、ユーザによってマナーモードへ移行しないことが指示された場合には（Ｓ７２：ＮＯ）、ＣＰＵ３３は、携帯電話機１をマナーモードへ移行させるための制御を行うことなく、図７のステップＳ１の処理を実行する。【００５６】
一方、マナーモード移行指示画面においてユーザによって“ＹＥＳ”が選択された後に“ＯＫ”が選択された場合、つまり、ユーザによってマナーモードへ移行することが指示された場合には（Ｓ７２：ＹＥＳ）、ＣＰＵ３３は、マナーモードの種類を変更するか否かの指示をユーザに要求するため、マナーモード変更指示画面をメインディスプレイ５に表示する（ステップＳ７３）。図１８に示すように、マナーモード変更指示画面には、メッセージ“マナーモードの種類を変更しますか？”が表示される。マナーモード変更指示画面には、マナーモードの種類を変更することをユーザが指示するための“ＹＥＳ”ボタン及び変更しないことをユーザが指示するための“ＮＯ”ボタンが設けられているとともに、“ＯＫ”ボタンが設けられている。【００５７】
ＣＰＵ３３は、操作部８から入力される押下信号に基づいて、マナーモード変更指示画面におけるユーザの操作内容を分析する（ステップＳ７４）。マナーモード変更指示画面においてユーザによって“ＹＥＳ”が選択された後に“ＯＫ”が選択された場合、つまり、ユーザによってマナーモードの種類を変更することが指示された場合には（Ｓ７４：ＹＥＳ）、ＣＰＵ３３は、どのマナーモードに変更するかの指示をユーザに要求するため、マナーモード種類指示画面をメインディスプレイ５に表示する（ステップＳ７５）。図１９に示すように、マナーモード種類指示画面には、メッセージ“マナーモードの種類はどれにしますか？”が表示される。マナーモード種類指示画面には、変更候補のマナーモードの種類として図１９の例では“サイレントバイブ”ボタン、“ドライブ”ボタン、“オリジナルマナー１”ボタン及び“オリジナルマナー２”ボタンが設けられているとともに、“ＯＫ”ボタンが設けられている。なお、例えば、変更候補のマナーモードの種類はメモリ４２内の機能管理テーブルに記憶されているマナーモードの種類に対応する。【００５８】
ＣＰＵ３３は、操作部８から入力される押下信号に基づいて、マナーモード種類指示画面におけるユーザの操作内容を分析する。そして、ＣＰＵ３３は、ユーザによって何れかのマナーモードが選択指示された後、“ＯＫ”が選択された場合、携帯電話機１を選択されたマナーモードへ移行させるための制御を行い（ステップＳ７６）、その後、図７のステップＳ１の処理が行われる。例えば、マナーモード種類指示画面においてユーザが“サイレントバイブ”を選択指示した後、“ＯＫ”を選択した場合には、ＣＰＵ３３は携帯電話機１をマナーモード“サイレントバイブ”へ移行させるための制御を行う。【００５９】
マナーモード変更指示画面においてユーザによって“ＮＯ”が選択された後に“ＯＫ”が選択された場合、つまり、ユーザによってマナーモードの種類を変更しないことが指示された場合には（Ｓ７４：ＮＯ）、ＣＰＵ３３は、携帯電話機１を予め定められた所定のマナーモードへ移行させるための制御を行い（ステップＳ７７）、その後、図７のステップＳ１の処理が行われる。【００６０】
上述した本実施の形態の携帯電話機１によれば、第１の実施の形態の携帯電話機１で得られる効果に加え、更に、例えば次のような効果が得られる。【００６１】
携帯電話機１がマナーモードへ移行するときにユーザはマナーモードの種類を選択できる。このため、例えば、予め定められているマナーモードが“サイレントバイブ”であっても、マナーモードを“ドライブ”にするなどユーザにあまり操作負担をかけることなく携帯電話機１に設定されるマナーモードを状況に適したマナーモードにすることができる。【００６２】
≪第３の実施の形態≫
以下、本発明の第３の実施の形態に係る携帯電話機について図面を参照しつつ説明する。第１の実施の形態の携帯電話機１はメインディスプレイ５に図１５のマナーモード移行指示画面を表示して単にマナーモードに移行するか否かの指示をユーザに要求する。これに対して、本実施の形態の携帯電話機１は、マナーモードに移行するか否かの指示をユーザに要求するとともに、マナーモードの機能の設定指示をユーザに要求する。なお、マナーモードには、着信音量、バイブレータや簡易留守メモ（留守番電話）など複数の機能の設定がある。なお、本実施の形態では、主として第１の実施の形態と異なる点について説明する。【００６３】
＜携帯電話機の構成及び機能＞
メインディスプレイ５は、更に、簡易留守メモ（留守番電話）の機能の応答メッセージの種類を変更するか否かをユーザが指示するための応答メッセージ変更指示画面、ユーザが使用する応答メッセージの種類を指示するための応答メッセージ種類指示画面、及びユーザがバイブレータの設定の変更等を指示するためのバイブレータ変更指示画面を表示する。なお、各画面の詳細については後述する。また、本実施の形態のＣＰＵ３３は、図１４のモード移行処理の代わりに、後述する図２０に動作フローを示すモード移行処理を行う。さらに、メモリ４２は、携帯電話機１が図１４に動作フローを示すモード移行処理を実行するためのプログラムの代わりに、携帯電話機１が図２０に動作フローを示すモード移行処理を実行するためのプログラムを記憶している。【００６４】
＜携帯電話機の動作＞
本実施の形態の携帯電話機１は、図７の動作フローを実行し、図７の条件設定処理（ステップＳ２）では図８に示す動作フローを実行し、図７のマナーモード移行処理（ステップＳ３）では図１３に示す動作フローを実行する。そして、携帯電話機１は、図１３のモード移行処理（ステップＳ４６）では図２０に示す動作フローを実行する。【００６５】
（モード移行処理）
以下、本実施の形態における図１３のモード移行処理（ステップＳ４６）について図２０を参照しつつ説明する。図２０は本実施の形態の携帯電話機１が行うモード移行処理の手順を示すフローチャートである。【００６６】
ＣＰＵ３３は、マナーモード移行指示画面をメインディスプレイ５に表示し（ステップＳ９１）、操作部８から入力される押下信号に基づいて、マナーモード移行指示画面におけるユーザの操作内容を分析する（ステップＳ９２）。マナーモード移行指示画面においてユーザによって“ＮＯ”が選択された後に“ＯＫ”が選択された場合、つまり、ユーザによってマナーモードへ移行しないことが指示された場合には（Ｓ９２：ＮＯ）、ＣＰＵ３３は、携帯電話機１をマナーモードへ移行させるための制御を行うことなく、図７のステップＳ１の処理を実行する。【００６７】
一方、マナーモード移行指示画面においてユーザによって“ＹＥＳ”が選択された後に“ＯＫ”が選択された場合、つまり、ユーザによってマナーモードへ移行することが指示された場合には（Ｓ９２：ＹＥＳ）、ＣＰＵ３３は、留守番電話機能の応答メッセージの種類を変更するか否かの指示をユーザに要求するため、応答メッセージ変更指示画面をメインディスプレイ５に表示する（ステップＳ９３）。図２１に示すように、応答メッセージ変更指示画面には、メッセージ“応答メッセージの種類を変更しますか？”が表示される。応答メッセージ変更指示画面には、応答メッセージの種類を変更することをユーザが指示するための“ＹＥＳ”ボタン及び変更しないことをユーザが指示するための“ＮＯ”ボタンが設けられているとともに、“ＯＫ”ボタンが設けられている。【００６８】
ＣＰＵ３３は、操作部８から入力される押下信号に基づいて、応答メッセージ変更指示画面におけるユーザの操作内容を分析する（ステップＳ９４）。応答メッセージ変更指示画面においてユーザによって“ＹＥＳ”が選択された後に“ＯＫ”が選択された場合、つまり、ユーザによって応答メッセージの種類を変更することが指示された場合（Ｓ９４：ＹＥＳ）、ＣＰＵ３３は、どの応答メッセージに変更するかの指示をユーザに要求するため、応答メッセージ種類指示画面をメインディスプレイ５に表示する（ステップＳ９５）。図２２に示すように、応答メッセージ種類指示画面には、メッセージ“応答メッセージはどれにしますか？”が表示される。応答メッセージ種類指示画面には、変更候補の応答メッセージの種類として、図２２の例では“通常”ボタン、“ドライブ”ボタン、“おやすみ”ボタン及び“オリジナル”ボタンが設けられているとともに、“ＯＫ”ボタンが設けられている。なお、変更候補の応答メッセージの種類は図２２に示されるものに限定されない。【００６９】
ＣＰＵ３３は、操作部８から入力される押下信号に基づいて、応答メッセージ種類指示画面におけるユーザの操作内容を分析する。そして、ＣＰＵ３３は、ユーザによって何れかの応答メッセージの種類が選択指示された後に“ＯＫ”が選択された場合、予め定められた所定のマナーモードの機能のうち応答メッセージの種類をユーザによって選択指示された応答メッセージの種類に変更し、携帯電話機１をマナーモードへ移行させるための制御を行う（ステップＳ９６）。その後、図７のステップＳ１の処理が行われる。例えば、応答メッセージ種類指示画面においてユーザが応答メッセージとして“ドライブ”を選択指示した後、“ＯＫ”を選択した場合には、ＣＰＵ３３は応答メッセージを“ドライブ”に変更して携帯電話機１をマナーモードへ移行させるための制御を行う。【００７０】
応答メッセージ変更指示画面においてユーザによって“ＮＯ”が選択された後に“ＯＫ”が選択された場合、つまり、ユーザによって応答メッセージの種類を変更しないことが指示された場合（Ｓ９４：ＮＯ）、ＣＰＵ３３は、バイブレータの設定内容を変更するかの指示をユーザに要求するため、バイブレータ変更指示画面をメインディスプレイ５に表示する（ステップＳ９７）。図２３に示すように、バイブレータ変更指示画面には、メッセージ“バイブレータの設定を変更しますか？”が表示される。バイブレータ変更指示画面には、ユーザがバイブレータの設定をオンに変更する場合に選択指示されるラジオボタン、オフに変更する場合に選択指示されるラジオボタン及び変更しない場合に選択指示されるラジオボタンが設けられているとともに、“ＯＫ”ボタンが設けられている。【００７１】
ＣＰＵ３３は、操作部８から入力される押下信号に基づいて、バイブレータ変更指示画面におけるユーザの操作内容を分析する（ステップＳ９８）。ユーザによって“ＯＮに変更”又は“ＯＦＦに変更”のラジオボタンが選択指示された後に“ＯＫ”ボタンが選択された場合（Ｓ９８：ＹＥＳ）、ＣＰＵ３３は、予め定められた所定のマナーモードの機能のうちバイブレータの設定内容をユーザによって選択指示された内容（オン、オフ）に変更し、携帯電話機１をマナーモードへ移行させるための制御を行う（ステップＳ９９）。その後、図７のステップＳ１の処理が行われる。【００７２】
一方、ユーザによって“変更しない”のラジオボタンが選択指示された後に“ＯＫ”ボタンが選択された場合（Ｓ９８：ＮＯ）、ＣＰＵ３３は、携帯電話機１を予め定められた所定のマナーモードへ移行させるための制御を行う（ステップＳ１００）。その後、図７のステップＳ１の処理が行われる。【００７３】
上述した本実施の形態の携帯電話機１によれば、第１の実施の形態の携帯電話機１で得られる効果に加え、更に、次のような効果が得られる。【００７４】
携帯電話機１がマナーモードへ移行するときにユーザはマナーモードの機能の設定を変更できる。このため、例えば、予め定められた所定のマナーモードの留守番電話機能の応答メッセージの種類が“通常”であっても、応答メッセージの種類を“ドライブ”にするなどユーザにあまり操作負担をかけることなく携帯電話機１のマナーモードの機能を状況に適した機能に変更することができる。【００７５】
≪補足≫
本発明は上記の実施の形態で説明した内容に限定されず、本発明の目的とそれに関連又は付随する目的を達成するためのいかなる形態においても実施可能であり、例えば、以下であってもよい。【００７６】
（１）上記の第１から第３の各実施の形態では、例えば、マナーモード移行処理（図１３）、モード移行処理（図１４、図１７、図２０）の各処理において表示される各画面はメインディスプレイ５に表示されるとして説明したが、これに限られるものではなく、各画面をサブディスプレイ６に表示するようにしてもよい。この場合、ＣＰＵ３３はタッチセンサ６ａから入力される位置座標に基づいてユーザの操作内容を分析すればよい。なお、例えば、サブディスプレイ６に各画面を表示する場合に、画面の明るさのレベルを通常表示より低くなるように制御してもよい。【００７７】
（２）上記の第１から第３の各実施の形態では、ＣＰＵ３３は携帯電話機１の現在位置及び現在の移動速度をＧＰＳ信号処理回路３７から取得するようにしているが、携帯電話機１の現在位置及び移動速度の検出を行うことが可能な他の手段を携帯電話機１に搭載して当該他の手段から現在位置及び現在の移動速度を取得するようにしてもよい。【００７８】
（３）上記の第１から第３の各実施の形態では、ユーザがマナーモードの種類等を変更する場合を除き携帯電話機１を予め定められたモードへ移行するものとして説明したが、これに限られることなく、例えば、スケジュール、位置及び移動状況単位で移行するマナーモードの種類を対応させてメモリ４２に記憶する。そして、例えばスケジュールに基づいてユーザの指示によりマナーモードへ移行する場合、スケジュールに対応してメモリ４２に記憶されているマナーモードの種類を携帯電話機１に設定するようにしてもよい。【００７９】
また、スケジュール管理テーブル、位置管理テーブル、及び移動状況管理テーブルに項目「マナーモードの種類」を追加し、各テーブルにデータを登録する際にマナーモードの種類をユーザが指定可能にしてユーザによって指定されたマナーモードの種類を項目「マナーモードの種類」に格納する。そして、マナーモードの移行のきっかけになったデータの項目「マナーモードの種類」に格納されているマナーモードの種類を携帯電話機１に設定するようにしてもよい。【００８０】
（４）上記の第１から第３の実施の形態に携帯電話機１に、ＣＰＵ３３がタイマ回路３９による所定のタイミングからの計測時間が所定の時間経過した場合にマナーモードへ移行するか否かの指示を要求し（例えば、図１５の画面表示を行い）、ユーザからマナーモードへ移行する指示を受け付けた場合に携帯電話機１をマナーモードへ移行させるための制御を行う機能を付加してもよい。【００８１】
例えば、ユーザが３０分後にマナーモードに移行することを設定すると、ＣＰＵ３３は、タイマ回路３９をリセットした後スタートさせ、タイマ回路３９の計測時間が３０分になった場合に、例えば、図１５の画面表示を行い、ユーザからマナーモードへ移行するか否かの指示を受け付けるようにしてもよい。【００８２】
（５）上記の第１から第３の実施の形態において、図１３のステップＳ４４の処理を削除し、ステップＳ４３の行き先をステップＳ４５にしてもよい。つまり、ＣＰＵ３３は、ＧＰＳ信号処理回路３７から入力される移動速度が移動状況管理テーブルの項目「移動速度」の格納内容を満足するレコードがあれば、ＣＰＵ３３はユーザにマナーモードへ移行するか否かの指示をユーザに対して要求する（例えば、図１５の画面表示を行う）ようにしてもよい。【００８３】
（６）上記の第１から第３の各実施の形態において、図１３のステップＳ３８の判定処理を、現在位置が設定された位置に一致するか否かの判定処理に置き換え、一致すればステップＳ３９へ、一致しなければステップＳ４０へ移行するようにしてもよい。【００８４】
（７）上記の第１から第３の各実施の形態において、マナーモードへ移行するか否かの指示の要求を、メインディスプレイ５或いはサブディスプレイ６にユーザに移行の指示を要求するための画面（例えば、図１５の表示画面）を表示する代わりに、例えば、携帯電話機１の筐体に設けられたＬＥＤ等を所定の色（例えば、赤色）に点灯させることによって行ってもよい。この場合、ユーザがマナーモードへの移行の指示を、例えば、携帯電話機１を上下に振ることによって行い、ＣＰＵ３３は加速度センサ４０からの３軸の加速度値からユーザの指示内容を分析するようにしてもよい。また、この場合、ユーザからマナーモードの移行の指示を受け付けてマナーモードへ移行した場合、ＬＥＤ等の点灯色を例えば赤色から青色に変化させるようにしてもよく、これによってユーザがマナーモードへ移行したことを視覚的に分かる利点が得られる。【００８５】
また、例えば、携帯電話機１がバータイプの場合、マナーモードへ移行するか否かの指示の要求を、ディスプレイ部分のみのＬＥＤを点燈させることによって行うようにしてもよい。【００８６】
（８）上記の第１から第３の各実施の形態において、例えば、図１３のステップＳ３４のＹＥＳ、ステップＳ３９のＹＥＳ、及びステップＳ４５のＹＥＳの夫々の後に、或いは、ステップＳ５１の後に、マナーモードへ移行する条件になっていることをユーザに報知するための処理を付加してもよい。例えば、報知はバイブレータ４１の振動により行うことが考えられる。【００８７】
（９）上記の第１から第３の各実施の形態の携帯電話機１に、マナーモードを解除するときにマナーモードを解除するか否かの指示をユーザに対して要求し、ユーザからマナーモードの解除の指示を受け付けたときにマナーモードを解除する機能を付加してもよい。【００８８】
例えば、スケジュールの内容が９月２５日１５時００分から１６時００分までの進捗会議がＡ会議室で行われる場合に、現在の時刻がスケジュール管理テーブルのマナーモードへの移行のきっかけになったレコードの項目「終了時刻」に格納されている１６時００分になると、ＣＰＵ３３はメインディスプレイ５に“マナーモードを解除しますか？”と表示する。そして、ユーザの操作部８に対する操作によってユーザから解除の指示を受け付けた場合にマナーモードを解除し、ユーザから解除の指示を受け付けなかった場合にマナーモードを継続する。これによって、会議が長引いたとしても自動的にマナーモードの機能が解除される事態を回避できる。【００８９】
（１０）上記の第１から第３の各実施の形態で説明した動作フローを記述したプログラムをＣＤ−ＲＯＭなどに格納し、或いは、電気通信回線を用いて提供するようにしてもよい。
【産業上の利用可能性】
【００９０】
本発明は、マナーモード機能を備えた携帯情報機器に利用できる。
【図１】
2009041060.tif 000003
【図２】
2009041060.tif 000004
【図３】
2009041060.tif 000005
【図４】
2009041060.tif 000006
【図５】
2009041060.tif 000007
【図６】
2009041060.tif 000008
【図７】
2009041060.tif 000009
【図８】
2009041060.tif 000010
【図９】
2009041060.tif 000011
【図１０】
2009041060.tif 000012
【図１１】
2009041060.tif 000013
【図１２】
2009041060.tif 000014
【図１３】
2009041060.tif 000015
【図１４】
2009041060.tif 000016
【図１５】
2009041060.tif 000017
【図１６】
2009041060.tif 000018
【図１７】
2009041060.tif 000019
【図１８】
2009041060.tif 000020
【図１９】
2009041060.tif 000021
【図２０】
2009041060.tif 000022
【図２１】
2009041060.tif 000023
【図２２】
2009041060.tif 000024
【図２３】
2009041060.tif 000025
【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
マナーモードへの移行処理を実行するための移行条件を記憶する記憶部と、
前記記憶部に記憶されている移行条件に基づきマナーモードへ移行するか否かの指示を要求する要求部と、
前記要求部の要求に対応してマナーモードへ移行するか否かの指示をユーザから受け付ける受付部と、
前記受付部がマナーモードへ移行する指示を受け付けた場合に、マナーモードへ移行するための制御を行う制御部と、
を備える携帯情報機器。
【請求項２】
前記移行条件は現在の時刻が設定時刻に一致することであり、
時刻の設定を行う時刻設定部と、
時刻を出力する時計部と、
を更に備え、
前記要求部は、前記時計部が出力する時刻が前記時刻設定部による設定時刻に一致すると前記要求を行う
請求項１記載の携帯情報機器。
【請求項３】
前記移行条件は、自機器の位置が設定位置に対して所定の距離内にあることであり、
位置の設定を行う位置設定部と、
自機器の位置を取得する位置取得部と、
を更に備え、
前記要求部は、前記位置取得部により取得される位置が前記位置設定部による設定位置に対して所定の距離内にある場合に前記要求を行う
請求項１記載の携帯情報機器。
【請求項４】
前記移行条件は、自機器の移動速度が所定の移動速度以上であることであり、
自機器の移動速度を検出する速度検出部
を更に備え、
前記要求部は、前記移動速度検出部により検出される移動速度が前記所定の移動速度以上である場合に前記要求を行う
請求項１記載の携帯情報機器。
【請求項５】
前記移行条件は、自機器の移動速度が所定の時間所定の移動速度以上であることであり、
自機器の移動速度を検出する速度検出部と、
時間を計測する時間計測部と、
を更に備え、
前記要求部は、前記速度検出部が前記所定の移動速度以上の移動速度を検出してから前記時間計測部による計測時間が前記所定の時間になるまでの期間、前記速度検出部により検出される移動速度が前記所定の移動速度以上である場合に前記要求を行う
請求項１記載の携帯情報機器。
【請求項６】
前記移行条件は、所定のタイミングから所定の時間経過することであり、
時間を計測する時間計測部
を更に備え、
前記要求部は、前記時間計測部による前記所定のタイミングからの計測時間が前記所定の時間経過した場合に前記要求を行う
請求項１記載の携帯情報機器。
【請求項７】
前記マナーモードは複数のモードを有し、
前記要求部は、更に前記複数のモードの何れのモードへ移行するかの指示を要求し、
前記受付部は、更に前記要求部によるモードの要求に対応して移行するモードをユーザから受け付け、
前記制御部は、前記受付部が受け付けたモードへ移行するための制御を行う
請求項１記載の携帯情報機器。
【請求項８】
前記マナーモードは機能として留守番電話機能を有し、
前記要求部は、更に前記留守番電話機能の応答メッセージを変更するかの指示を要求し、
前記受付部は、更に前記要求部による応答メッセージの変更の要求に対応して応答メッセージの変更の指示をユーザから受け付け、
前記制御部は、更に前記受付部が応答メッセージの変更の指示を受け付けた場合に、前記応答メッセージを変更する
請求項１記載の携帯情報機器。
【請求項９】
前記マナーモードは複数有り、
前記移行条件は複数有り、
前記記憶部は、更に、前記移行条件に対して一つの前記マナーモードを対応付けて記憶しており、
前記制御部は、前記要求部の要求の契機となった移行条件に対応して前記記憶部に記憶されているマナーモードへの移行制御を行う
請求項１記載の携帯情報機器。
【請求項１０】
マナーモードへの移行処理を実行するための移行条件を記憶する記憶部を有する携帯情報機器において実行されるマナーモード移行プログラムであって、
前記記憶部に記憶されている移行条件に基づきマナーモードへ移行するか否かの指示を要求する要求ステップと、
前記要求ステップにおける要求に対応してマナーモードへ移行するか否かの指示をユーザから受け付ける受付ステップと、
前記受付ステップにおいてマナーモードへ移行する指示を受け付けた場合に、マナーモードに移行するための制御を行う制御ステップと、
を有するマナーモード移行プログラム。
【請求項１１】
発光部と、
マナーモードへの移行をユーザに通知するために前記発光部の発光制御を行う発光制御部と、
を更に備える請求項１記載の携帯情報機器。
【請求項１２】
表示部と、
前記要求部が前記指示の要求を前記表示部に表示して行う際に前記表示部の明るさのレベルを制御する表示制御部と、
を更に備える請求項１記載の携帯情報機器。
【国際調査報告】
2009041060.tif 000026
2009041060.tif 000027
2009041060.tif 000028